(57)【要約】【課題】施工後における扉の位置ずれに対する許容範囲を拡大することによって、施工後における扉の保持状態の意図しない解除を防止すると共に、取付作業負担を軽減することのできる扉の保持装置を提供する。【解決手段】装置本体１０には、係止部３２が被係止具１１を係止する際に被係止具１１が当接してその係止深さ方向の位置決めを行う係止基準面４１が設けられ、被係止具１１は、係止深さ方向に移動自在に構成され且つ、前記係止基準面４１に当接するように係止深さ方向の一方側に付勢され、しかも、装置本体１０には、係止深さ方向の所定範囲に亘って被係止具１１が当接可能であって且つ一方の扉２の他方の扉１への相対的な接近動作に伴って被係止具１１を係止基準面４１へ誘導する誘導カム面４２が設けられている。【選択図】図４
2010116733.tif 000002
【特許請求の範囲】
【請求項１】
折り畳み式扉を折り畳み状態に保持すべく、一方の扉に取り付けられる被係止具と、他方の扉に取り付けられて前記被係止具を係止する係止部を有する装置本体とを備えた扉の保持装置であって、
装置本体には、係止部が被係止具を係止する際に被係止具が当接してその係止深さ方向の位置決めを行う係止基準面が設けられ、被係止具は、係止深さ方向に移動自在に構成され且つ、前記係止基準面に当接するように係止深さ方向の一方側に付勢され、しかも、装置本体には、係止深さ方向の所定範囲に亘って被係止具が当接可能であって且つ一方の扉の他方の扉への相対的な接近動作に伴って被係止具を係止基準面へ誘導する誘導カム面が設けられていることを特徴とする扉の保持装置。
【請求項２】
前記係止深さ方向は上下方向であって、被係止具は上下方向に移動自在に取り付けられて自重により下方側に付勢され、装置本体には、係止基準面の先端から斜め下方に向けて誘導カム面が延設されている請求項１記載の扉の保持装置。
【請求項３】
扉を戸袋等の固定部材に保持すべく、扉と固定部材のうちの一方に取り付けられる被係止具と、他方に取り付けられて前記被係止具を係止する係止部を有する装置本体とを備えた扉の保持装置であって、
装置本体には、係止部が被係止具を係止する際に被係止具が当接してその係止深さ方向の位置決めを行う係止基準面が設けられ、被係止具は、係止深さ方向に移動自在に構成され且つ、前記係止基準面に当接するように係止深さ方向の一方側に付勢され、しかも、装置本体には、係止深さ方向の所定範囲に亘って被係止具が当接可能であって且つ扉が固定部材に接近する動作に伴って被係止具を係止基準面へ誘導する誘導カム面が設けられていることを特徴とする扉の保持装置。
【発明の詳細な説明】
【技術分野】
【０００１】
本発明は、二つ折りや三つ折り等の折り畳み式扉を折り畳み状態に保持するため、あるいは、折り畳み式扉や一枚扉等の扉を戸袋等の固定部材に保持するための、扉の保持装置に関する。
【背景技術】
【０００２】
従来、この種の扉の保持装置として本出願人は既に下記特許文献１所載のものを提案している。同様の扉の保持装置の概略を図９及び図１０に示している。図９は従来の扉の保持装置を使用した二つ折り扉の折り畳み途中の状態を示す部分断面図、図１０は同二つ折り扉の折り畳み状態を示す部分断面図をそれぞれ示している。
【０００３】
かかる扉の保持装置は、二つ折り扉を折り畳み状態に保持するために両扉１，２に取り付けられる。具体的には、第２の扉２に取り付けられるＬ字状のフック２００と、第１の扉１に取り付けられる装置本体１００とを備える。フック２００の先端には上下方向に回動すると共に図示しないバネによって上方側に付勢されたラッチ２０１を備えており、装置本体１００には、図１０のようにラッチ２０１を係止するラッチ受け１０１が設けられている。尚、図１０に示す両扉１，２の折り畳み状態において解除レバー１０２が図中時計回りに回動すると、解除レバー１０２がラッチ２０１を押圧してバネの付勢力に抗して下方側にラッチ２０１を回動させる。該ラッチ２０１の回動によってラッチ２０１とラッチ受け１０１の係止状態が解除されると、図示しないオートスイングヒンジによって第２の扉２が第１の扉１から離反していく。
【特許文献１】特開２００５−３１４９７１号公報
【発明の開示】
【発明が解決しようとする課題】
【０００４】
かかる扉の保持装置の施工に際しては、第１及び第２の扉１，２にそれぞれ装置本体１００とフック２００とを取り付けることになるが、ラッチ２０１がラッチ受け１０１に係止されるかどうかを目視確認することは困難である。そのため、装置本体１００とラッチ２０１との相対的な上下方向の位置関係については、それぞれの取付後に実際に両扉１，２を折り畳む等して動作確認を行うことになる。
【０００５】
しかしながら、例えば、フック２００の取付位置が下限ぎりぎりであった場合、ラッチ２０１とラッチ受け１０１との係止深さが浅い状態となる。この場合、上述したような施工段階の動作確認においては両扉１，２の折り畳み状態が保持されるため、ラッチ２０１とラッチ受け１０１との係止深さが浅い状態であることまでは把握することができない。従って、施工後において経年変化や振動等が原因となって、万一、第２の扉２が第１の扉１に対して相対的に下方に位置ずれしたような場合には、意図せずラッチ２０１とラッチ受け１０１との係止状態が解除されて第２の扉２が第１の扉１から離れていくという不具合が生じることになる。従って、施工段階においてラッチ２０１とラッチ受け１０１との係止深さが一定以上になるように、装置本体１００とフック２００との相対的な上下方向の位置関係に注意を払いながら慎重に取り付け作業を行う必要がある。これは即ち装置本体１００及びフック２００の取付に対して高い取り付け精度が要求されることを意味し、作業者にとって負担が大きい。
【０００６】
そこで本発明は上記従来の問題点に鑑みてなされ、施工後における扉の位置ずれに対する許容範囲を拡大することによって、施工後における扉の保持状態の意図しない解除を防止すると共に、取付作業負担を軽減することのできる扉の保持装置を提供することを課題とする。
【課題を解決するための手段】
【０００７】
本発明は上記課題を解決すべくなされたものであって、本発明に係る扉の保持装置は、折り畳み式扉を折り畳み状態に保持すべく、一方の扉に取り付けられる被係止具と、他方の扉に取り付けられて前記被係止具を係止する係止部を有する装置本体とを備えた扉の保持装置であって、装置本体には、係止部が被係止具を係止する際に被係止具が当接してその係止深さ方向の位置決めを行う係止基準面が設けられ、被係止具は、係止深さ方向に移動自在に構成され且つ、前記係止基準面に当接するように係止深さ方向の一方側に付勢され、しかも、装置本体には、係止深さ方向の所定範囲に亘って被係止具が当接可能であって且つ一方の扉の他方の扉への相対的な接近動作に伴って被係止具を係止基準面へ誘導する誘導カム面が設けられていることを特徴とする。
【０００８】
該構成の扉の保持装置にあっては、一方の扉に取り付けられた被係止具が、他方の扉に取り付けられた装置本体の係止部に係止されることにより、両扉が折り畳み状態となる。その際、装置本体の誘導カム面には被係止具が係止深さ方向の所定範囲に亘って当接可能であるので、施工後において仮に一方の扉が他方の扉に対して係止深さ方向に相対的に位置ずれしたとしても、被係止具が誘導カム面に当接することができる。この被係止具は係止深さ方向に移動自在に構成されているので、一方の扉が他方の扉に対して相対的に接近していくと、その接近動作に伴って被係止具が誘導カム面上を移動しながら係止基準面へと誘導され、被係止具が係止基準面に当接することで装置本体の係止部に確実に係止される。
【０００９】
特に、前記係止深さ方向は上下方向であって、被係止具は上下方向に移動自在に取り付けられて自重により下方側に付勢され、装置本体には、係止基準面の先端から斜め下方に向けて誘導カム面が延設されていることが好ましい。
【００１０】
該構成によれば、係止深さ方向が上下方向であって被係止具が上下方向に移動自在に取り付けられて自重により下方側に付勢されているので、被係止具を下方側に付勢する別途の付勢手段が不要である。そして、装置本体には係止基準面の先端から斜め下方に向けて誘導カム面が延設されているので、上記接近動作の際に、誘導カム面に当接した被係止具がそれ自身の自重に抗して誘導カム面を斜め上方に移動していってスムーズに係止基準面に当接することになる。
【００１１】
また、本発明に係る扉の保持装置は、扉を戸袋等の固定部材に保持すべく、扉と固定部材のうちの一方に取り付けられる被係止具と、他方に取り付けられて前記被係止具を係止する係止部を有する装置本体とを備えた扉の保持装置であって、装置本体には、係止部が被係止具を係止する際に被係止具が当接してその係止深さ方向の位置決めを行う係止基準面が設けられ、被係止具は、係止深さ方向に移動自在に構成され且つ、前記係止基準面に当接するように係止深さ方向の一方側に付勢され、しかも、装置本体には、係止深さ方向の所定範囲に亘って被係止具が当接可能であって且つ扉が固定部材に接近する動作に伴って被係止具を係止基準面へ誘導する誘導カム面が設けられていることを特徴とする。
【発明の効果】
【００１２】
以上のように、本発明に係る扉の保持装置は、施工後に扉が係止深さ方向に位置ずれしても、被係止具が誘導カム面に当接できる範囲内であれば、被係止具が誘導カム面によって係止基準面に誘導されて確実に係止部に係止されることになる。従って、施工後における扉の位置ずれに対する許容範囲が従来に比して拡大され、施工段階の取り付け作業負担が軽減されると共に、施工後において意図せず扉の保持状態が解除されるということも防止される。
【発明を実施するための最良の形態】
【００１３】
以下、本発明の一実施形態にかかる扉の保持装置について図面を参酌しつつ説明する。図１は本発明の一実施形態における扉の保持装置を二つ折り扉に使用した斜視図であって二つ折り扉の全閉状態（展開状態）を示しており、図２（ａ）乃至（ｄ）は同じく二つ折り扉の動作の概略を示す平面図で、図３は同じく二つ折り扉の折り畳み途中の状態を示す部分断面図で、図４は同じく二つ折り扉の折り畳み途中の状態であって図３から更に折り畳まれた状態を示す部分断面図で、図５は同じく二つ折り扉の折り畳み状態を示す部分断面図で、図６は同じく扉の保持装置の要部を示す正面図である。
【００１４】
図１及び図２に示すように、第１の扉１はオートスイングヒンジ３によって上下方向を軸線として戸枠に水平方向に回動（開閉）するように取り付けられると共に閉じ側に付勢されている。また、第２の扉２はオートスイングヒンジ４を介して第１の扉１に対して同じく水平方向に回動するように取り付けられ、オートスイングヒンジ４によって閉じ側即ち第１の扉１から離れる展開方向に付勢されている。この第１の扉１及び第２の扉２は、防火扉であって、通常は図２（ａ）のように折り畳まれた状態で戸袋６に収納されてレリーズ７でその収納状態に保持されている。そして、火災発生時にレリーズ７が制御盤等から信号を受けて第２の扉２の保持を解除すると、図２（ｂ）のようにオートスイングヒンジ３によって第１及び第２の扉１，２が折り畳まれた状態のまま閉じ側へと回動する。そして、図２（ｃ）のように第１の扉１が全閉状態となると、第１の扉１は戸枠にロック（保持）される一方、第１の扉１と第２の扉２の折り畳み状態が解除されて、図２（ｄ）のように第２の扉２がオートスイングヒンジ４によって閉じ側へと回動する。
【００１５】
本実施形態における扉の保持装置は、第１の扉１と第２の扉２を折り畳み状態に保持するためのものであって、第１の扉１の正面上部に取り付けられる装置本体１０と、第２の扉２の正面上部に取り付けられる被係止具としてのフック１１とを備え、装置本体１０がフック１１を係止することにより両扉１，２の折り畳み状態が保持される。
【００１６】
図３乃至図６を参照しながら詳細に説明すると、フック１１は第２の扉２に取付部材としてのプレート１２を介して取り付けられる。該プレート１２には図６のように上下方向に長い貫通した長孔１３が形成されており、該長孔１３によってプレート１２は第２の扉２に上下方向に位置調節可能にネジ止めされる。尚、図３乃至図６では長孔１３の上下方向略中央付近で取り付けた状態を示しているが、施工段階において長孔１３の上側もしくは下側で取り付けられる場合も無論ある。
【００１７】
該プレート１２に取り付けられるフック１１はＬ字状の板状であって例えば板金から折り曲げにより形成されて、プレート１２に取り付けるためにその前面に重ね合わせられる垂直板状部１４と、該垂直板状部１４の上端から前側に水平に伸びる水平板状部１５とから構成される。垂直板状部１４には上下方向に長い貫通した長孔１６が形成され、プレート１２の前面から前方に突出するピン１７が長孔１６を貫通している。該ピン１７が相対的に長孔１６を上下に移動することにより、フック１１はプレート１２の前面を滑動の基準面として長孔１６の上下ストロークの分だけ上下に滑動自在である。通常は図３及び図６のようにフック１１それ自体の自重によりピン１７は長孔１６の上端に位置し、フック１１は最も下側に位置する。尚、ピン１７の先端は大径の頭部とされ、その頭部と垂直板状部１４との間にはワッシャ１８が介在している。
【００１８】
また、水平板状部１５の前端上部にはラッチ支持部１９が形成され、該ラッチ支持部１９にラッチ２０の基端部が上下に回動自在に支持されている。該ラッチ２０はその先端部が後方即ち第２の扉２側に向くように配置され、且つ、付勢手段としてのバネ２１によって先端部が上方を向く方向（図３において反時計回り）に付勢されている。尚、通常は、ラッチ２０の基端部が水平板状部１５の上面に当接することでラッチ２０のそれ以上の前側への回動が阻止され、ラッチ２０は図３のように後方に斜め上方姿勢で停止している。
【００１９】
一方、装置本体１０は、枠体３０と、該枠体３０の前側をカバーするカバー体３１とを備えている。該カバー体３１は図３乃至図５において二点鎖線にて示されているが、その前面にはラッチ２０が挿入可能な開口部（図１の符号３１ａ）が形成されている。また、枠体３０は板金からなる複数の部材から構成され、前側上部に位置してその下端部で前記ラッチ２０を係止する係止部としてのラッチ受け３２と、該ラッチ受け３２にラッチ２０を確実に係止させるための位置決め部材４０とを備えている。
【００２０】
位置決め部材４０は、ラッチ受け３２よりも下方且つ後方に位置する水平の係止基準面４１と、該係止基準面４１の前端（先端）から前側に向けて斜め下方に延設された誘導カム面４２とを備えている。該誘導カム面４２はラッチ受け３２の下方に位置していて傾斜面として形成されており、図３の状態から更に第２の扉２が第１の扉１に接近すると、誘導カム面４２にフック１１の水平板状部１５の下面が当接し、その後、図４のようにフック１１の水平板状部１５が誘導カム面４２上を摺動しながら係止基準面４１へと誘導されていく。フック１１はその自重によって下方に移動しようとしているので、誘導カム面４２から係止基準面４１に移ってもそのままフック１１の水平板状部１５の下面が係止基準面４１に当接することになってフック１１の上下方向の位置が定まり、図５のようにラッチ受け３２によってラッチ２０が確実に係止される。
【００２１】
尚、枠体３０には、Ｌ字状の係合レバー３３と同じくＬ字状の解除レバー３４がそれぞれ上下に回動自在に支持されている。係合レバー３３と解除レバー３４は互いに左右方向に位置ずれして配置されており、図３乃至図５において奥側に係合レバー３３が手前側に解除レバー３４が位置する。係合レバー３３は第１の扉１を戸枠にロックするためのものであり、常時は図示しない付勢手段としてのバネによって図中反時計回りに付勢されていて、第１及び第２の扉１，２が全閉状態では、枠体３０から上方に突出する上側のアーム部３３ａが戸枠の固定金具の凹部（図示省略）に係合して第１の扉１は戸枠にロックされる。そして、第１及び第２の扉１，２を全閉状態から戸袋６に復帰させる際に、第２の扉２を第１の扉１に向かって１８０度回動させると、フック１１の水平板状部１５がカバー体３１の開口部３１ａから挿入し、図５のようにフック１１の水平板状部１５は係合レバー３３の下側のアーム部３３ｂを後方に押して係合レバー３３を時計回りに回動させ、係合レバー３３の上側のアーム部３３ａを下方に沈み込ませる。係合レバー３３の上側のアーム部３３ａが下方に沈み込むことで戸枠との係合が解除される。尚、フック１１の水平板状部１５がカバー体３１内に侵入した状態では、解除レバー３４は戸枠に押されて図５に示した状態よりも時計回りに回動した状態にあってその下側のアーム部３４ｂでラッチ２０を下方に押し込んだ状態にある。そして、第１の扉１を戸袋６に向けて回動させることで第１の扉１が戸枠から離れると、解除レバー２０が直ちに反時計回りに回動して、図５のようにその上側のアーム部３４ａが上方に突出した状態になると共にラッチ２０がラッチ受け３２に係止される。従って、両扉１，２を折り畳み状態で戸袋６へと復帰させることができる。尚、ラッチ受け３２を前後に貫通するネジ３５の先端が係合レバー３３の下側のアーム部３３ｂに当接していて係合レバー３３のそれ以上の回動を阻止しており、このネジ３５によって係合レバー３３の上側のアーム部３３ａが上方に突出する量を調節できるようになっている。
【００２２】
また、解除レバー３４はラッチ２０をラッチ受け３２から解除するためのものであって、常時は図示しない付勢手段としてのバネによって、図３乃至図５のように上側のアーム部３４ａが枠体３０から上方に突出した中立状態になるように、時計回りにも反時計回りにも付勢されている。そして、図２（ｃ）のように第１の扉１が全閉状態になると、解除レバー３４の上側のアーム部３４ａが戸枠に当たって押し込まれ、解除レバー３４が時計回りに回動することで下側のアーム部３４ｂがラッチ２０を押し下げ、これによりラッチ受け３２からラッチ２０が外れ、第１の扉１から第２の扉２が離れることが可能になる。
【００２３】
以上のように構成された扉の保持装置は、上述したように第２の扉２にプレート１２を介してフック１１を取り付けるのであるが、その施工時には、図３に示すように、フック１１がその自重によって最も下側に位置した状態においてそのフック１１が装置本体１０の誘導カム面４２の例えば中央付近に当接するように、プレート１２の高さを調節して第２の扉２に取り付ける。但し、フック１１の位置が上下にずれたとしても、フック１１が誘導カム面４２に当接すればよいので、施工段階における取り付け精度はラフなものでよい。従って、取り付け作業を楽に行うことができる。
【００２４】
また、施工後において仮に第２の扉２が下方に位置ずれしたとしても、フック１１が誘導カム面４２に当接する範囲内であれば、フック１１が誘導カム面４２上を摺動して最終的には係止基準面４１に誘導されてその高さが定まるので、係止深さが浅くなるということがなく確実にラッチ受け３２にラッチ２０が係止される。逆に、仮に第１の扉１が下方に位置ずれしたとしても、フック１１が誘導カム面４２に当接する範囲内であれば、同様にラッチ受け３２にラッチ２０が係止される。即ち、係止基準面４１がラッチ受け３２に対して所定の高さに位置していて、その係止基準面４１にフック１１を当接させてフック１１の高さを決めてラッチ受け３２にラッチ２０を係止させる構成であるので、常に一定の係止深さが確保されるのである。このように、施工後において経年変化や振動等によって仮に第１及び第２の扉１，２が上下方向に位置ずれしたとしても、誘導カム面４２にフック１１が当接すれば係止基準面４１へと誘導されるので、扉の位置ずれに対する装置の許容範囲が大きい。従って、施工段階におけるラッチ２０とラッチ受け３２との係止深さが浅くて施工後において第２の扉２が第１の扉１から意図せず離れるということが防止され、万一の火災時にも確実な動作が確保される。
【００２５】
特に、誘導カム面４２を係止基準面４１から延設した傾斜面としているので、誘導カム面４２及び係止基準面４１を一体に容易に形成できるという利点があり、誘導カム面４２から係止基準面４１へとスムーズにフック１１を誘導することができる。
【００２６】
尚、フック１１の先端にコロを設ければ、より一層スムーズに誘導カム面４２上を移動できる。
【００２７】
また、フック１１をその自重によって下方に付勢するようにしているので、バネ等の別途の付勢手段が不要であって装置を簡素化することができ、低コストでもある。
【００２８】
尚、本実施形態では、フック１１が下方に付勢される構成であったが、逆に上方に付勢されるようにしてもよい。その場合には誘導カム面４２も例えば斜め上方に向かう傾斜面として下側からフック１１が当接するように構成すると共に係止基準面４１にも下側からフック１１が当接するように構成する。
【００２９】
また、誘導カム面４２を傾斜面としたが、凸状あるいは凹状に湾曲した曲面としてもよい。
【００３０】
更に、フック１１をプレート１２を介して第２の扉２に取り付ける構成としたが、プレート１２を介さずに直接取り付けるようにしてもよい。
【００３１】
また更に、ラッチ２０とラッチ受け３２との係止深さ方向が上下方向である場合について説明したが、係止深さ方向が左右方向であってもよい。
【００３２】
また、第１の扉１に装置本体１０を、第２の扉２にフック１１をそれぞれ取り付けたが、逆に取り付けてもよい。
【００３３】
尚、扉の保持装置を図７のように三つ折り扉に使用することも無論可能である。該三つ折り扉は、第２の扉２に更に第３の扉５０がオートスイングヒンジ５１を介して取り付けられており、例えば、第１の扉１の正面上部と第２の扉２の正面上部にはそれぞれ装置本体１０が取り付けられ、第３の扉５０の正面上部と背面上部にはそれぞれフック１１が取り付けられる。
【００３４】
また、扉の保持装置として折り畳み式扉を折り畳み状態に保持するための構成について説明したが、これに限られず、例えば、上述したようなレリーズ７にも適用できる。例えば、防火扉としての一枚扉６０を戸袋６に保持するためのものとして、図８に示すように、扉６０にはプレート１２を介してフック６１（被係止具）を取り付けて上述したのと同様の構成によってフック６１を上下方向に所定範囲で移動可能とする一方、戸袋６にはフック６１を係止する装置本体６２を取り付ける。フック６１の先端部には係合孔６３を形成し、装置本体１０にはフック６１の係合孔６３に係合するラッチ６４（係止部）を設ける。尚、フック６１等の詳細について図３に示したものと同一符号を付している箇所は同様の構成である。該ラッチ６４は上下に回動する構成であって図示しない付勢手段によって図中時計回りに付勢され、フック６１がラッチ６４のテーパ面６４ａに当接することでラッチ６４が二点鎖線にて示すように上方に僅かに回動して、フック６１の係合孔６３にラッチ６４が自動的に係合できるようになっている。そして、装置本体６２には、ラッチ６４の下方に係止基準面６５が設けられると共にその前方には斜め下方に伸びる誘導カム面６６が延設され、フック６１は誘導カム面６６に当接した後に、その自重に抗して誘導カム面６６上を滑り上がって係止基準面６５へと誘導される。
【００３５】
このように種々の扉の保持装置に適用可能であって、戸袋６以外の戸枠等の固定部材に扉を保持する構成にも適用でき、また、被係止具とそれを係止する係止部の構成についても適宜設計変更可能である。
【図面の簡単な説明】
【００３６】
【図１】本発明の一実施形態における扉の保持装置を二つ折り扉に使用した斜視図であって、二つ折り扉の全閉状態を示す。
【図２】（ａ）乃至（ｄ）は同二つ折り扉の動作の概略を示す平面図。
【図３】同二つ折り扉の折り畳み途中の状態を示す部分断面図。
【図４】同二つ折り扉の折り畳み途中の状態であって図３から更に折り畳まれた状態を示す部分断面図。
【図５】同二つ折り扉の折り畳み状態を示す部分断面図。
【図６】同扉の保持装置の要部を示す正面図。
【図７】同扉の保持装置を三つ折り扉に使用した斜視図であって、三つ折り扉の全閉状態を示す。
【図８】本発明の他の実施形態における扉の保持装置を一枚扉に使用した場合において、扉の全開近くの状態を示す部分断面図。
【図９】従来の扉の保持装置を使用した二つ折り扉の折り畳み途中の状態を示す部分断面図。
【図１０】同二つ折り扉の折り畳み状態を示す部分断面図。
【符号の説明】
【００３７】
１    第１の扉（他方の扉）
２    第２の扉（一方の扉）
３    オートスイングヒンジ
４    オートスイングヒンジ
６    戸袋（固定部材）
７    レリーズ
１０    装置本体
１１    フック（被係止具）
１２    プレート（取付部材）
１３    長孔
１４    垂直板状部
１５    水平板状部
１６    長孔
１７    ピン
１８    ワッシャ
１９    ラッチ支持部
２０    ラッチ
２１    バネ
３０    枠体
３１    カバー体
３２    ラッチ受け（係止部）
３３    係合レバー
３３ａ  上側のアーム部
３３ｂ  下側のアーム部
３４    解除レバー
３４ａ  上側のアーム部
３４ｂ  下側のアーム部
３５    ネジ
４０    位置決め部材
４１    係止基準面
４２    誘導カム面
５０    第３の扉
５１    オートスイングヒンジ
６０    扉
６１    フック（被係止具）
６２    装置本体
６３    係合孔
６４    ラッチ（係止部）
６４ａ  テーパ面
６５    係止基準面
６６    誘導カム面
１００  装置本体
１０１  ラッチ受け
１０２  解除レバー
２００  フック
２０１  ラッチ
【図１】
2010116733.tif 000003
【図２】
2010116733.tif 000004
【図３】
2010116733.tif 000005
【図４】
2010116733.tif 000006
【図５】
2010116733.tif 000007
【図６】
2010116733.tif 000008
【図７】
2010116733.tif 000009
【図８】
2010116733.tif 000010
【図９】
2010116733.tif 000011
【図１０】
2010116733.tif 000012